(57)【要約】【課題】  回転軸と回転部材の同芯度が容易であり、また回転軸をネジ具等で傷つけることのない回転部材への回転軸の取付構造を提供すること。【解決手段】  回転部材３の通孔１０の両端部に凹部１１が形成され、凹部１１の内面に雌ネジ１５が形成され、該固着部材３に回転軸２を通す孔部３０が形成され、固着部材３の外周に、回転部材１の雌ネジ１５に螺合し得る雄ネジ３１が形成されている。固着部材３はその頭部から軸方向に向けた分割溝３２により複数の分割体３３に分割され、固着部材３の底部において複数の分割体３３が連結されている。固着部材３を回転部材１の凹部１１に配置してその頭部を回すことにより、固着部材３の雄ネジ３１が凹部１１の雌ネジ１５に螺合するとともに、固着部材３の孔部１０が縮径されて固着部材が回転軸２に固着される。【選択図】  図１
2006234064.tif 000002
【特許請求の範囲】
【請求項１】
回転部材に形成された通孔に回転軸を挿入し、
該回転軸に固着部材を外嵌し、該固着部材を回転部材に対して螺合することにより、回転部材に回転軸を固着する回転部材への回転軸の取付構造であって、
該回転部材の通孔の両端部に凹部が形成され、該凹部の内面に雌ネジが形成され、
該固着部材に回転軸を通す孔部が形成され、該固着部材の外周に、該回転部材の雌ネジに螺合し得る雄ネジが形成され、前記固着部材の雌ネジにテーパが形成されていると共に、該記回転部材の凹部に形成された雌ネジに該雄ネジのテーパに適合するテーパが形成され、
該固着部材はその頭部から軸方向に向けた分割溝により複数の分割体に分割され、固着部材の底部において複数の分割体が連結され、
固着部材を回転部材の凹部に配置してその頭部を回すことにより、固着部材の雄ネジが凹部の雌ネジに螺合すると共に、固着部材の孔部が縮径されて固着部材が回転軸に固着される回転部材への回転軸の取付構造。
【請求項２】
前記固着部材の頭部は６角形に形成されている請求項１に記載の回転部材への回転軸の取付構造。
【請求項３】
前記固着部材は３分割されている請求項１に記載の回転部材への回転軸の取付構造。
【請求項４】
前記回転部材が、ギヤ、プーリー、ローラー又はドラムである請求項１に記載の回転部材への回転軸の取付構造。
【発明の詳細な説明】
【技術分野】
【０００１】
本発明は、ギヤ、プーリー、ローラー、ドラム等の回転部材に回転軸を精度よく取り付ける構造に関する。
【背景技術】
【０００２】
従来、回転部材に形成された通孔に回転軸を固着する場合には、回転部材に直接ネジ孔を設けてキーなどにより回転止めをする方法、図３に示すように、回転部材の両端部に設けた固定部６に回転軸２を通して、固定部６に設けた半径方向のネジ孔にネジ４を螺合して固定部６を回転軸２に固着する方法、あるいは例えば、特開平１０−１３１９７６号公報（特許文献１）に示すように、回転体固定具を回転軸に外嵌し、締め付けボルトを締め付けることにより、回転軸を回転部材に固定する方法が提案されている。しかし、このような方法を採用すると次のような欠点がある、
（１）回転部材にキーなどの回転止めの加工をする必要がある。
（２）回転軸に直角方向のネジ等で回転部材を取り付ける場合には、回転軸と回転部材の同芯度が出し難い。
（３）回転軸をネジ具等で傷つけることがある。
【特許文献１】特開平１０−１３１９７６号公報
【発明の開示】
【発明が解決しようとする課題】
【０００３】
本発明は、回転軸と回転部材の同芯度が容易であり、また回転軸をネジ具等で傷つけることのない回転部材への回転軸の取付構造を提供することを目的とする。
【課題を解決するための手段】
【０００４】
本発明の回転部材への回転軸の取付構造は、回転部材に形成された通孔に回転軸を挿入し、該回転軸に固着部材を外嵌し、該固着部材を回転部材に対して螺合することにより、回転部材に回転軸を固着する回転部材への回転軸の取付構造であって、該回転部材の通孔の両端部に凹部が形成され、該凹部の内面に雌ネジが形成され、該固着部材に回転軸を通す孔部が形成され、該固着部材の外周に、該回転部材の雌ネジに螺合し得る雄ネジが形成され、前記固着部材の雌ネジにテーパが形成されていると共に、該記回転部材の凹部に形成された雌ネジに該雄ネジのテーパに適合するテーパが形成され、該固着部材はその頭部から軸方向に向けた分割溝により複数の分割体に分割され、固着部材の底部において複数の分割体が連結され、固着部材を回転部材の凹部に配置してその頭部を回すことにより、固着部材の雄ネジが凹部の雌ネジに螺合すると共に、固着部材の孔部が縮径されて固着部材が回転軸に固着されており、そのことにより上記目的が達成される。
【０００５】
一つの実施形態では、前記固着部材の頭部は６角形に形成されている。
【０００６】
一つの実施形態では、前記固着部材は３分割されている。
【０００７】
一つの実施形態では、前記回転部材が、ギヤ、プーリー、ローラー又はドラムである。
【発明の効果】
【０００８】
回転部材の通孔の両端部に凹部が形成され、該凹部の内面に雌ネジが形成され、該固着部材に回転軸を通す孔部が形成され、該固着部材の外周に、該回転部材の雌ネジに螺合し得る雄ネジが形成され、該固着部材はその頭部から軸方向に向けた分割溝により複数の分割体に分割され、固着部材の底部において複数の分割体が連結され、固着部材を回転部材の凹部に配置してその頭部を回すことにより、固着部材の雄ネジが凹部の雌ネジに螺合するとともに、固着部材の孔部が縮径されて固着部材が回転軸に固着されることにより、固着部材を螺合するにつれてその内径が小さくなるため、固着部材を回転部材の凹部に螺合すると同時に固着部材が回転軸に圧着する。
【０００９】
従って、以下の利点がある。
（１）従来のように、回転部材にキーなどの回転止めの加工が必要ない。
（２）回転軸に直角方向のボルトやナットで取り付ける方法に比べて、回転軸と回転部材の同芯度が出しやすい。
（３）回転軸に特に加工を施す必要がない。
（４）回転部材の貫通孔は、回転軸に対してクリアランスが大きくても同芯度に影響がないため、回転部材の着脱が容易である。
（５）回転軸にボルトやナットで回転部材を取り付ける方法に比べて、回転軸を傷つける可能性が低い。
【発明を実施するための最良の形態】
【００１０】
以下に本発明の実施の形態を具体的に説明する。
【００１１】
図１および図２に示すように、回転部材１にはその回転中心位置において通孔１０が形成され、この通孔１０に回転軸２が挿入されている。
【００１２】
該回転部材１の通孔１０の両端部に凹部１１が形成されている。この凹部１１の内側面に奥側に向けて狭くなったテーパが形成され、該テーパ面１２に雌ネジ１５が形成されている。
【００１３】
金属製や硬質の樹脂等にて形成される固着部材３の回転中心位置に回転軸２を通す孔部３０が形成されている。孔部３０の内径は回転軸２の外径よりやや大きく設定され、また外側の内径がやや大きくなるように設定されている。該固着部材３の外周に、該回転部材１の凹部１１の雌ネジ１５に螺合し得る雄ネジ３１が形成されている。固着部材３はその頭部から軸方向に向けた分割溝３２により複数の分割体３３に分割され、固着部材３の底部において複数の分割体３３が連結されている。つまり、分割溝３２は頭部から底部近くまで形成されている。分割溝３２は、例えば、コレットチャックのような摺り割り加工を施すことによって形成することができる。この実施形態では、固着部材３は３つの分割溝３２によって３分割されているが、４分割あるいは５分割以上であってもよい。固着部材３の頭部は６角形に形成され、その頭部を除いた胴部３５は略円筒状に形成されている。胴部３５の外周に上記のとおり雄ネジ３１が形成され、また底部に向けて外形が小さくなるようにテーパが形成されている。
【００１４】
回転軸２の外径をＬ１、固着部材３の内径をＬ２（回転部材側）〜Ｌ３（回転部材とは反対側）とするとき、Ｌ１よりＬ２は等しいか大きく、Ｌ２よりＬ３は大きく設定されている。また、固着部材３の底部の外径をＬ１０、頭部側の胴部の外径をＬ１１、凹部１１の奥側の内径をＬ１２、凹部１１の外側の内径をＬ１３とするとき、Ｌ１２よりＬ１０はほぼ等しいか大きく、Ｌ１１はＬ１３より等しいか大きく設定されている。
【００１５】
回転軸２を回転部材１に固定するには、次のようにして行う。
【００１６】
回転軸２に固着部材３を外嵌し、固着部材３を回転部材１の凹部１１に配置してその頭部３６を回すことにより、固着部材３の雄ネジ３１を凹部１１の雌ネジ１５に螺合する。螺合するにつれて、固着部材３の孔部３０が縮径するので、分割溝３２の幅は小さくなり、固着部材３が回転軸２の外面に圧着して固着する。回転部材１の両端面から、固着部材３を締め付けて回転軸２に固定する。
【００１７】
なお、回転部材１としては、例えば、ギヤ、プーリー、ローラー又はドラム等がある。
【００１８】
上記構成によれば以下の利点がある。
【００１９】
回転部材１に、キーなどの回転止めなどの加工が必要ない。回転軸２に直角方向のボルトやナットで、取り付ける方法に比べて、回転軸２と回転部材１の同芯度が出しやすい。回転軸２に特に加工を施す必要がない。回転部材１の貫通孔は、回転軸２に対してクリアランスが大きくても同芯度に影響がないため、回転部材１の着脱が容易である。回転軸２にボルトやナットで取り付ける方法に比べて、回転軸２を傷つける可能性が低い。
【図面の簡単な説明】
【００２０】
【図１】図１は本発明の一実施形態の回転部材への回転軸の取付構造の要部断面図である。
【図２】図２は図１に示す固着部材の平面図である。
【図３】従来例の概略図である。
【符号の説明】
【００２１】
１    回転部材
２    回転軸
３    固着部材
１０  通孔
１１  凹部
３０  孔部
３２  分割溝
３３  分割体
【図１】
2006234064.tif 000003
【図２】
2006234064.tif 000004
【図３】
2006234064.tif 000005